(57)【特許請求の範囲】
【請求項１】
発呼側通信デバイスから被呼側通信デバイス向けの呼の間に、前記発呼側通信デバイスに対して再生されるフィードバックを提供するように働く、１つまたは複数のインテリジェント・ネットワーク・プラットフォームを備える装置であって、
前記１つまたは複数のインテリジェント・ネットワーク・プラットフォームの１つまたは複数が、前記被呼側通信デバイスのユーザが前記フィードバックの１つまたは複数の部分を予め選択することを可能にし、
前記被呼側通信デバイスのための発信交換局が前記被呼側通信デバイスのために装備されたインテリジェント・ネットワーク・トリガに遭遇したとの指示を受信すると、前記１つまたは複数のインテリジェント・ネットワーク・プラットフォームの１つまたは複数が、インテリジェント・ネットワーク信号を利用して、前記発呼側通信デバイスから、前記１つまたは複数のインテリジェント・ネットワーク・プラットフォームの、１つのインテリジェント・ネットワーク・プラットフォームに前記呼を接続し、
前記呼が第１のコール・レッグおよび第２のコール・レッグを含み、前記インテリジェント・ネットワーク信号を利用して前記呼を前記インテリジェント・ネットワーク・プラットフォームへ接続する前記１つまたは複数のインテリジェント・ネットワーク・プラットフォームの前記１つまたは複数が、前記インテリジェント・ネットワーク信号を利用して前記発呼側通信デバイスから前記インテリジェント・ネットワーク・プラットフォームに前記第１のコール・レッグを接続し、そして、
前記インテリジェント・ネットワーク・プラットフォームは前記第２のコール・レッグを前記被呼側通信デバイスに接続する、装置。
【請求項２】
前記インテリジェント・ネットワーク・プラットフォームが、前記第１のコール・レッグと前記第２のコール・レッグの間で呼のブリッジを接続して、前記発呼側通信デバイスを前記被呼側通信デバイスと接続し、
前記呼のブリッジを転送すると決定されると、前記１つまたは複数のインテリジェント・ネットワーク・プラットフォームの１つまたは複数が、呼ドロップバック・コマンドを利用して、前記第１および第２のコール・レッグを接続するよう１つまたは複数の交換局に指令を与える、請求項１に記載の装置。
【請求項３】
前記フィードバックの前記１つまたは複数の部分が、前記被呼側通信デバイスの前記ユーザによって予め選択されたリングバック・トーンを含み、
前記インテリジェント・ネットワーク・プラットフォームが、前記発呼側通信デバイスに対して前記リングバック・トーンを再生し、
前記被呼側通信デバイスのユーザが前記リングバック・トーンを予め選択することを可能にする、前記１つまたは複数のインテリジェント・ネットワーク・プラットフォームの前記１つまたは複数が、前記発呼側通信デバイスからの前記呼のための前記リングバック・トーンを前記ユーザがカスタマイズすることを可能にし、
前記発呼側通信デバイスからの前記呼が、第１の発呼側通信デバイスからの第１の呼を含み、前記リングバック・トーンが、第１のリングバック・トーンを含み、
前記被呼側通信デバイスのユーザが前記第１のリングバック・トーンを予め選択することを可能にする、前記１つまたは複数のインテリジェント・ネットワーク・プラットフォームの前記１つまたは複数が、第２の発呼側通信デバイスに対して再生される、第２の呼のための第２のリングバック・トーンを前記ユーザがカスタマイズすることを可能にし、
前記第２のリングバック・トーンが、前記第１のリングバック・トーンとは異なる、請求項１に記載の装置。
【請求項４】
前記フィードバックの前記１つまたは複数の部分が、前記被呼側通信デバイスの前記ユーザによって予め選択された、カスタマイズされたコール・プログレス指示を含み、
前記コール・プログレス指示に関連づけられたイベントが発生すると、前記インテリジェント・ネットワーク・プラットフォームが、前記発呼側通信デバイスで前記コール・プログレス指示を再生する、請求項１に記載の装置。
【請求項５】
前記インテリジェント・ネットワーク・プラットフォームが、インテリジェント周辺機器を含み、前記１つまたは複数のインテリジェント・ネットワーク・プラットフォームが、サービス制御ポイントを含み、
前記サービス制御ポイントが、前記インテリジェント・ネットワーク信号を利用して、前記第１のコール・レッグを前記インテリジェント周辺機器に経路指定し、
前記インテリジェント周辺機器が、前記第１のコール・レッグを前記第２のコール・レッグとブリッジして、前記呼において前記発呼側通信デバイスを前記被呼側通信デバイスと接続する、請求項１に記載の装置。
【請求項６】
前記インテリジェント・ネットワーク・プラットフォームが、インテリジェント周辺機器を含み、前記１つまたは複数のインテリジェント・ネットワーク・プラットフォームが、サービス制御ポイントを含み、
前記発信交換局が、前記発呼側通信デバイスをサポートし、
前記インテリジェント周辺機器が、前記発信交換局に対して、前記呼において前記発呼側通信デバイスを前記被呼側通信デバイスと接続するよう指令し、前記第１および第２のコール・レッグを前記インテリジェント周辺機器に解放するよう指令し、
前記サービス制御ポイントが、前記被呼側通信デバイスの前記ユーザによって予め選択される、前記フィードバックの前記１つまたは複数の部分を前記呼が要求すると判定し、前記サービス制御ポイントが、前記発信交換局に、前記第１のコール・レッグにおいて前記インテリジェント周辺機器と接続するよう命令し、
前記インテリジェント周辺機器が、前記発呼側通信デバイスに対して再生される前記フィードバックの前記１つまたは複数の部分を前記サービス制御ポイントに問い合わせ、
前記サービス制御ポイントが、前記呼に関連づけられた１つまたは複数の特性に基づいて前記フィードバックの前記１つまたは複数の部分を決定し、前記サービス制御ポイントが、前記インテリジェント周辺機器に前記フィードバックの前記１つまたは複数の部分を指示し、
前記インテリジェント周辺機器が、前記発呼側通信デバイスで前記フィードバックの前記１つまたは複数の部分を再生し、
前記インテリジェント周辺機器が、前記被呼側通信デバイスへの前記第２のコール・レッグを開始する、請求項１に記載の装置。
【請求項７】
前記第１のコール・レッグが、前記発呼側通信デバイスのユーザによってダイアルされた電話番号の指示を含み、
前記電話番号に関連づけられたリダイレクション要求を検出すると、前記１つまたは複数のインテリジェント・ネットワーク・プラットフォームの１つまたは複数が、前記第２のコール・レッグにおいて、前記発呼側通信デバイスの前記ユーザによってダイアルされた前記電話番号の代わりに前記被呼側通信デバイスの電話番号を用いて、前記発呼側通信デバイスを前記被呼側通信デバイスと接続する、請求項１に記載の装置。
【請求項８】
前記インテリジェント・ネットワーク・プラットフォームが、第１のインテリジェント・ネットワーク・プラットフォームを含み、前記１つまたは複数のインテリジェント・ネットワーク・プラットフォームの第２のインテリジェント・ネットワーク・プラットフォームが、前記インテリジェント・ネットワーク信号を利用して、前記呼を前記第１のインテリジェント・ネットワーク・プラットフォームに経路指定し、
前記第１のインテリジェント・ネットワーク・プラットフォームが、前記発呼側通信デバイスで前記フィードバックを再生する、請求項１に記載の装置。
【請求項９】
発呼側通信デバイス用にカスタマイズされたフィードバックを、被呼側通信デバイスのユーザに予め選択させる工程を含む方法であって、前記方法が、
前記発呼側通信デバイスからの前記被呼側通信デバイスへの呼において、前記被呼側通信デバイスのための発信交換局で、前記被呼側通信デバイスのために前記発信交換局に装備されたインテリジェント・ネットワーク・トリガに遭遇する工程と、
前記インテリジェント・ネットワーク信号を利用して、インテリジェント・ネットワーク・プラットフォームに前記呼を経路指定し、前記発呼側通信デバイスで、前記呼の１つまたは複数の特性に基づいて、前記カスタマイズされたフィードバックを再生する工程とを特徴とし、
前記呼が第１のコール・レッグおよび第２のコール・レッグを含み、前記インテリジェント・ネットワーク信号を利用して、インテリジェント・ネットワーク・プラットフォームに前記呼を経路指定し、前記発呼側通信デバイスで、前記呼の１つまたは複数の特性に基づいて、前記カスタマイズされたフィードバックを再生する前記工程が、
前記インテリジェント・ネットワーク信号を利用して、前記第１のコール・レッグを前記インテリジェント・ネットワーク・プラットフォームと接続する工程と、
前記インテリジェント・ネットワーク信号を利用して、前記第２のコール・レッグを前記被呼側通信デバイスと接続する工程とを含む、方法。
【請求項１０】
前記第１のコール・レッグを前記第２のコール・レッグとブリッジして、前記発呼側通信デバイスを前記被呼側通信デバイスと通信可能に結合する工程をさらに含み、
前記カスタマイズされたフィードバックが、リングバック・トーンを含み、前記インテリジェント・ネットワーク信号を利用して、前記第１のコール・レッグを前記インテリジェント・ネットワーク・プラットフォームと接続する前記工程が、
前記呼について前記インテリジェントジェント・ネットワーク・トリガに遭遇したとの指示を受信すると、前記被呼側通信デバイスが、前記発呼側通信デバイスからの前記呼のための前記リングバック・トーンをセットアップしていると判定する工程と、
前記第１のコール・レッグを前記インテリジェント・ネットワーク・プラットフォームに経路指定するよう、前記発信交換局に指示する工程と、
前記インテリジェント・ネットワーク・プラットフォームでの前記第１のコール・レッグの受信と、前記被呼側通信デバイスによる返答の間に、前記発呼側通信デバイスで前記リングバック・トーンを再生する工程とを含む、請求項９に記載の方法。
【発明の詳細な説明】
【技術分野】
【０００１】
本発明は、概して通信に関し、より詳細には、発呼側に対して再生される、被呼側が予め選択したフィードバックに関する。
【背景技術】
【０００２】
リングバック・トーン・サービスにより、移動電話のユーザは、その移動電話を呼び出す通信デバイスに対して再生されるフィードバックを予め選択することができるようになる。たとえば、通信デバイスが、発呼側を構成し、移動電話が、被呼側を構成する。フィードバックは、一例では、告知および／またはトーンを含む。フィードバックは、一例では、リングバック・トーン、またはリングバック・トーンが後に続く告知を含む。リングバック・トーン・サービスは、被呼側が呼に返答する前に発呼側が聞く従来の呼出し音を、被呼側のユーザによって予め選択されたリングバック・トーンと置き換える。リングバック・トーン・サービスにより、被呼側に電話をかける際に発呼側が聞く呼出し音を、被呼側がカスタマイズすることができるようになる。
【０００３】
ネットワーク・サーバは、一例では、リングバック・トーンを記憶する。ネットワーク・サーバは、発呼側でリングバック・トーンを再生する。したがって、リングバック・トーン・サービスでは、リングバック・トーンは、発呼側の電話に記憶される必要がない。被呼側のユーザは、ネットワーク・サーバにアクセスして、発呼側からの着呼の際にその発呼側向けに再生するためのリングバック・トーンを指示することができる。被呼側のユーザは、特定の発呼側向けに、かつ／または特定の時間に、特定のリングバック・トーンを再生するために、リングバック・トーン・サービスを設定することができる。たとえば、リングバック・トーン・サービスにより、被呼側のユーザが、友人のためのハッピー・バースデイのリングバック・トーンを、その友人の誕生日に再生するように設定することができるようになる。したがって、友人が、誕生日に被呼側のユーザに電話をかけると、その友人は、被呼側のユーザが電話に出るまで、ハッピー・バースデイのリングバック・トーンを聞く。
【０００４】
発呼側を被呼側に接続する通信ネットワークは、複数のネットワーク要素を備える。たとえば、通信ネットワークは、移動電話交換センタ（「ＭＳＣ」）およびホーム・ロケーション・レジスタ（「ＨＬＲ」）を備える。ＭＳＣおよびＨＬＲは、米国規格協会（「ＡＮＳＩ」）標準からの変更を含む。たとえば、ＭＳＣおよびＨＬＲは、リングバック・トーン・サービスを可能にするために、ＡＮＳＩ標準からの変更を必要とした。１つの欠点として、リングバック・トーン・サービスを提供するために、標準化されていないＡＮＳＩネットワーク要素を使うことは望ましくない場合がある。別の欠点として、ＡＮＳＩ標準化されたネットワーク要素は、変更されたネットワーク要素によって実現されるリングバック・トーン・サービスを使用することができない場合がある。
【非特許文献１】Sec.8.X.22、TIA/EIA/IS-826
【発明の開示】
【発明が解決しようとする課題】
【０００５】
したがって、改良されたリングバック・トーン・サービスの実現が必要である。さらに、ＡＮＳＩ標準に従って遂行されるリングバック・トーン・サービスが必要である。
【課題を解決するための手段】
【０００６】
本発明は、一実装形態において、装置を含む。この装置は、１つまたは複数のインテリジェント・ネットワーク・プラットフォームを備え、このプラットフォームは、発呼側通信デバイスから被呼側通信デバイス向けの呼の間に、発呼側通信デバイスに対して再生されるフィードバックを提供するように働く。１つまたは複数のインテリジェント・ネットワーク・プラットフォームの１つまたは複数は、被呼側通信デバイスのユーザが、フィードバックの１つまたは複数の部分を予め選択することを可能にする。１つまたは複数のインテリジェント・ネットワーク・プラットフォームの１つまたは複数は、信号を利用して、発呼側通信デバイスから、１つまたは複数のインテリジェント・ネットワーク・プラットフォームの、１つのインテリジェント・ネットワーク・プラットフォームに呼を接続する。
【０００７】
本発明の別の実装形態は、方法を含む。被呼側通信デバイスのユーザは、発呼側通信デバイス用にカスタマイズされたフィードバックを予め選択することができる。発呼側通信デバイスからインテリジェント・ネットワーク・プラットフォームに呼を経路指定するのに、信号が利用される。カスタマイズされたフィードバックは、呼の１つまたは複数の特性に基づいて、発呼側通信デバイスで再生される。
【０００８】
本発明のさらに別の実装形態は、物品を含む。この物品は、１つまたは複数のコンピュータ可読信号伝達媒体を備える。物品は、発呼側通信デバイス用にカスタマイズされたフィードバックを、被呼側通信デバイスのユーザに予め選択させる手段を、１つまたは複数の媒体中に備える。物品は、信号を利用して発呼側通信デバイスからインテリジェント・ネットワーク・プラットフォームに呼を経路指定する手段を、１つまたは複数の媒体中に備える。物品は、発呼側通信デバイスで、呼の１つまたは複数の特性に基づいて、カスタマイズされたフィードバックを再生する手段を、１つまたは複数の媒体中に備える。
【０００９】
本発明の例示的な実装形態の特徴は、以下の説明、特許請求の範囲、および添付の図面から明らかになるであろう。
【発明を実施するための最良の形態】
【００１０】
図１に移ると、装置１００は、一例において、コンピュータ・ソフトウェアおよび／またはハードウェア構成要素など複数の構成要素を備える。このようないくつかの構成要素は、装置１００において組み合わせることも、分割することもできる。装置１００の例示的な構成要素は、いくつかのプログラミング言語のどれでも書かれ、またはどれを用いても実装される１組および／または一連のコンピュータ命令を利用し、かつ／または備えることが、当業者には理解されよう。
【００１１】
装置１００は、一例では、１つまたは複数のインテリジェント・ネットワーク（「ＩＮ」）プラットフォーム１０２および１０４、１つまたは複数の移動電話交換センタ（「ＭＳＣ」）１０６および１０８、発呼側通信デバイス１１０、ならびに被呼側通信デバイス１１２を備える。一例では、装置１００は、被呼側通信デバイス１１２に関連づけられたホーム・ロケーション・レジスタ（「ＨＬＲ」）１１４と、インテリジェント・ネットワーク・プラットフォーム１０２および１０４、ＭＳＣ１０６および１０８、発呼側通信デバイス１１０、被呼側通信デバイス１１２、ならびにホーム・ロケーション・レジスタ１１４の１つまたは複数のためにデータを装備する管理構成要素１１６とをさらに備える。
【００１２】
信号網１１８は、インテリジェント・ネットワーク・プラットフォーム１０２および１０４、ＭＳＣ１０６および１０８、ホーム・ロケーション・レジスタ１１４、ならびに管理構成要素１１６を通信可能に結合する。信号網１１８は、一例では、信号トラフィックをサポートする信号方式７（「ＳＳ７」）ネットワークを含む。ベアラ・ネットワーク１２０は、インテリジェント・ネットワーク・プラットフォーム１０４ならびにＭＳＣ１０６および１０８を通信可能に結合する。ベアラ・ネットワーク１２０は、一例では、ベアラ・トラフィックをサポートする公衆交換電話網（「ＰＳＴＮ」）を含む。
【００１３】
インテリジェント・ネットワーク・プラットフォーム１０２および１０４は、電話ネットワーク・プラットフォームを含む。インテリジェント・ネットワーク・プラットフォーム１０２および１０４は、インテリジェント・ネットワーク技術および標準をサポートする。一例では、インテリジェント・ネットワーク・プラットフォーム１０２および１０４は、無線インテリジェント・ネットワーク（「ＷＩＮ」）プラットフォームを含む。一例では、インテリジェント・ネットワーク・プラットフォーム１０２および１０４は、ＣＡＭＥＬ（Customized Applications for Mobile network Enhanced Logic、モバイル・ネットワーク用カスタマイズ・アプリケーション改善論理）プラットフォームを含む。インテリジェント・ネットワーク・プラットフォーム１０２および１０４の例示的な実施形態は、サービス制御ポイント（「ＳＣＰ」）１２２およびインテリジェント周辺機器（「ＩＰ」）１２４の１つまたは複数を含む。別の例では、ＭＳＣ１０６および１０８、ホーム・ロケーション・レジスタ１１４、ならびに／あるいはクラス５中央局は、インテリジェント・ネットワーク信号をサポートする能力を備える。インテリジェント・ネットワーク・プラットフォーム１０２および１０４は、単一のインテリジェント・ネットワーク・プラットフォームに組み合わせることも、複数のインテリジェント・ネットワーク・プラットフォームに分割することもできる。インテリジェント・ネットワーク・プラットフォーム１０２および１０４は、呼を経路指定し、呼を通信デバイスに接続し、被呼側通信デバイス１１２向けの発呼側通信１１０デバイスからの呼の間、発呼側通信デバイス１１０に対して再生されるフィードバックを提供するように働く。たとえば、インテリジェント・ネットワーク・プラットフォーム１０２および１０４は、リングバック・トーン・サービスを可能にするように働く。インテリジェント・ネットワーク・プラットフォーム１０２および１０４は、被呼側通信デバイス１１２のユーザが、フィードバックの１つまたは複数の部分を予め選択することを可能にする。被呼側通信デバイス１１２のユーザは、フィードバックをカスタマイズすることができる。たとえば、ユーザは、発呼側通信デバイス１１０でのフィードバックにおいて再生されるリングバック・トーンを予め選択する。
【００１４】
一例では、ＳＣＰ１２２は、サービス論理、米国規格協会（「ＡＮＳＩ−４１」）メッセージ処理論理、ＷＩＮメッセージ処理論理、およびＳＳ７インタフェースを含む。別の例では、ＳＣＰ１２２は、サービス論理、広域移動体通信システム（「ＧＳＭ」）メッセージ処理論理、モバイル・ネットワーク用カスタマイズ・アプリケーション改善論理メッセージ処理論理、およびＳＳ７インタフェースを含む。ＳＣＰ１２２は、一例では、呼制御デバイスおよびデータ・サーバを含む。一例では、呼制御デバイスおよびデータ・サーバは、単一のＳＣＰ上に常駐する。別の例では、呼制御デバイスおよびデータ・サーバは、別々のＳＣＰ上に常駐する。呼制御デバイスおよびデータ・サーバが、別々のＳＣＰ上に常駐する場合、呼制御デバイスは、別のＳＣＰ上のデータ・サーバに、加入者プロファイル情報を問い合わせて、発呼側通信デバイス１１０でどのリングバック・トーンを再生するか決定する。ＳＣＰ１２２は、一例では、ＩＰ１２４の機能を制御するために、ＩＰ１２４に命令を与える。たとえば、ＳＣＰ１２２は、ＩＰ１２４にメッセージを送信して、カスタマイズされたフィードバックを発呼側通信デバイス１１０で再生するようにＩＰ１２４にアラートする。
【００１５】
ＳＣＰ１２２は、一例では、ＷＩＮ、ＣＡＭＥＬ、ＡＮＳＩ能力セット１（「ＣＳ−１」）、国際電気通信連合（「ＩＴＵ−Ｔ」）ＣＳ−１、およびセッション開始プロトコル（「ＳＩＰ」）信号の１つまたは複数を利用して、リングバック・トーン・サービスを要求する呼をＩＰ１２４に経路指定する。ＷＩＮ信号の例示的な利用を、本明細書において説明する。たとえば、ＳＣＰ１２２は、ＭＳＣ１０６で、被呼側通信デバイス１１２への着呼に関するＷＩＮ信号を受信し、ＷＩＮ信号メッセージ中のパラメータを、着呼をＩＰ１２４に向けるように設定する。したがって、ＩＰ１２４は、予め選択されたリングバック・トーンを発呼側通信デバイス１１０に対して再生することができる。たとえば、ＳＣＰ１２２は、着呼をＩＰ１２４に経路指定し、したがって、ＩＰ１２４は、被呼側通信デバイス１１２に呼を接続する前に、予め選択されたフィードバックを発呼側通信デバイス１１０で再生することができる。着呼をＩＰ１２４に経路指定するために、ＳＣＰ１２２は、一例では、ＷＩＮ信号メッセージのＴｅｒｍｉｎａｔｉｏｎＬｉｓｔパラメータを、ＩＰ１２４の登録番号に設定する。次いで、ＳＣＰ１２２は、着呼に対してどの動作を再生するかをＳＣＰ１２２に問い合わせたＭＳＣ１０６に、ＷＩＮ信号メッセージ中のＴｅｒｍｉｎａｔｉｏｎＬｉｓｔパラメータを送信する。
【００１６】
一例では、ＳＣＰ１２２は、被呼側通信デバイス１１２のユーザによってセットアップされた１つまたは複数のリングバック・トーン・サービス基準に、着呼の１つまたは複数の特性が合致するか判定し、次いで、ＳＣＰ１２２は、着呼をＩＰ１２４に経路指定する。たとえば、被呼側通信デバイス１１２のユーザは、ある特定の発呼側通信デバイスからの着呼、特定の時刻の着呼、特定の曜日の着呼、他の特定のどの日付の着呼も、または特定のコール・プログレス・イベントが発生すると、リングバック・トーン・サービスを起動するようＳＣＰ１２２に命令することができる。別の例では、着呼の１つまたは複数の特性は、１つまたは複数のリングバック・トーン・サービス基準に合致しないので、着呼は、発呼側通信デバイス１１０からの後続の呼に対するリングバック・トーン・サービス基準を被呼側通信デバイス１１２のユーザにセットアップさせる、被呼側通信デバイス１１２でのメニューの提示をトリガすることができる。メニューは、一例では、双方向音声応答（「ＩＶＲ」）または無線アプリケーション・プロトコル（「ＷＡＰ」）メニューを含む。
【００１７】
着呼が、リングバック・トーン・サービス基準に合致する場合、ＩＰ１２４は、カスタマイズされたフィードバックを発呼側通信デバイス１１０で再生する。一例では、ＩＰ１２４は、リングバック・トーンなどのカスタマイズされたフィードバックを記憶する。別の例では、ＩＰ１２４は、カスタマイズされたフィードバックを維持する記憶要素にアクセスする。
【００１８】
ＩＰ１２４は、コール・レッグを発呼側通信デバイス１１０および被呼側通信デバイス１１２と個別に接続して、発呼側通信デバイス１１０を被呼側通信デバイス１１２と通信可能に結合する。たとえば、ＩＰ１２４は、発呼側通信デバイス１１０から着信コール・レッグを受信する。ＩＰ１２４は、着信コール・レッグと接続されて、発呼側通信デバイス１１０との通信を確立する。次いで、ＩＰ１２４は、被呼側通信デバイス１１２への発信コール・レッグを開始して、被呼側通信デバイス１１２との通信を確立する。発呼側通信デバイス１１０を被呼側通信デバイス１１２と接続するために、ＩＰ１２４は、着信コール・レッグを発信コール・レッグとブリッジする。たとえば、ＩＰ１２４は、着信コール・レッグを発信コール・レッグとヘアピン接続（hairpin）する。
【００１９】
ＭＳＣ１０６および１０８は、モバイル遠隔通信デバイス、たとえば通信デバイス１１０および１１２をサポートする。ＭＳＣ１０６および１０８は、一例では、発信側移動電話交換センタ（「Ｏ−ＭＳＣ」）１０６およびサービス提供側移動電話交換センタ（「Ｓ−ＭＳＣ」）１０８を含む。たとえば、Ｏ−ＭＳＣ１０６は、被呼側通信デバイス１１２のホーム・エリアをサポートし、Ｓ−ＭＳＣ１０８は、被呼側通信デバイス１１２が、ローミング・エリアへ移動すると、被呼側通信デバイス１１２をサポートする。被呼側通信デバイス１１２が、Ｏ−ＭＳＣ１０６によってサポートされるホーム・エリア内にある場合、Ｓ−ＭＳＣ１０８は、発呼側通信デバイス１１０と被呼側通信デバイス１１２の間の呼の経路中にあることができない。たとえば、この場合、Ｏ−ＭＳＣ１０６は、被呼側通信デバイス１１２用のＳ−ＭＳＣとしても働く。
【００２０】
管理構成要素１１６は、ネットワーク構成要素を保守し管理する。たとえば、管理構成要素１１６は、交換、管理、保守、および装備（「ＯＡＭ＆Ｐ」）機能をネットワークに提供する。ネットワーク構成要素はそれぞれ、一例では、管理構成要素１１６を含み、それとインタフェースをとる。管理構成要素１１６は、被呼側通信デバイス１１２のための加入者プロファイルを装備する。ＳＣＰ１２２は、一例では、呼の接続中に加入者プロファイルにアクセスして、リングバック・トーン・サービスのための情報を集める。管理構成要素１１６はまた、ＩＰ１２４部でリングバック・トーンを装備し、ホーム・ロケーション・レジスタ１１４部で加入者プロファイル・データを装備し、そうすることによって、ＳＣＰ１２２が被呼側通信デバイス１１２向けの着呼を受信するとき、Ｏ−ＭＳＣ１０６がＳＣＰ１２２にＷＩＮ信号メッセージを送信するようにする。
【００２１】
インテリジェント・ネットワーク・プラットフォーム１０２および１０４は、一例では、ＷＩＮ信号、ＩＳＤＮユーザ部（「ＩＳＵＰ」）信号、およびＡＮＳＩ−４１信号を利用して、リングバック・トーン・サービスを可能にする。ＷＩＮ信号、ＩＳＵＰ信号、およびＡＮＳＩ−４１信号は、ＡＮＳＩ−４１標準に従う。例示的な一実装形態では、信号メッセージは、ＡＮＳＩ／ＴＩＡ／ＥＩＡ−４１−Ｄ、ＴＩＡ／ＥＩＡ／ＩＳ−７７１、およびＴＩＡ／ＥＩＡ／ＩＳ−８２６標準の１つまたは複数に従う。ＳＣＰ１２２は、標準に基づくＷＩＮ信号を利用して、発呼側通信デバイス１１０からＩＰ１２４に呼を経路指定するので、他のネットワーク構成要素も、標準に基づくネットワーク構成要素でよい。たとえば、ＭＳＣ１０６および１０８、ならびにＨＬＲ１１４は、標準に基づくネットワーク構成要素を含む。したがって、ＭＳＣ１０６および１０８、ならびにＨＬＲ１１４は、リングバック・トーン・サービスを可能にするために変更を必要としない。
【００２２】
リングバック・トーン・サービスにより、被呼側通信デバイス１１２のユーザは、１つまたは複数のイベントが発生すると発呼側通信デバイス１１０に対して再生されるフィードバックを予め選択することが可能になる。一例では、フィードバックは、予め選択されたリングバック・トーンを含む。したがって、発呼側通信デバイス１１０から被呼側通信デバイス１１２への呼が起こると、ＩＰ１２４は、被呼側通信デバイス１１２が返答する前に発呼側通信デバイス１１０のユーザが聞く従来の呼出し音を、被呼側通信デバイス１１２のユーザによって予め選択されたリングバック・トーンで置き換える。リングバック・トーン・サービスにより、被呼側通信デバイス１１２に電話をかける際に発呼側通信デバイス１１０が聞く呼出し音を、被呼側通信デバイス１１２のユーザがカスタマイズすることが可能になる。リングバック・トーン・サービスは、告知および予め選択されたリングバック・トーンを再生することもできる。たとえば、ＩＰ１２４は、後にリングバック・トーンが続く告知を発呼側通信デバイス１１０に対して再生する。
【００２３】
別の例では、フィードバックは、コール・プログレス指示を含む。インテリジェント・ネットワーク・プラットフォーム１０２および１０４は、コール・プログレス・イベントが発生すると発呼側通信デバイス１１０が聞くコール・プログレス指示を、被呼側通信デバイス１１２のユーザがカスタマイズすることを可能にする。たとえば、ＩＰ１２４は、ビジー信号、非返答信号、または経路指定誤り指示に応答して、発呼側通信デバイス１１０のユーザ向けにカスタマイズされた告知を再生する。
【００２４】
ＩＰ１２４は、発呼側通信デバイス１１０からの呼の受信と、被呼側通信デバイス１１２による呼の返答との間に、発呼側通信デバイス１１０でリングバック・トーンを再生する。一例では、ＩＰ１２４は、発呼側通信デバイスのアラート開始とほぼ同時に、発呼側通信デバイス１１０向けのリングバック・トーンの再生を開始する。別の例では、ＩＰ１２４は、発呼側通信デバイス１１０向けのリングバック・トーンの開始と、被呼側通信デバイス１１２に対するアラートの開始との間の時間のずれを加算する。たとえば、被呼側通信デバイス１１２のユーザは、被呼側通信デバイス１１２にアラートを行う前にリングバック・トーンが発呼側通信デバイス１１０で再生されるようにするために、時間のずれを設定することができる。時間のずれにより、発呼側通信デバイス１１０のユーザが聞くリングバック・トーンの長さが増す。時間のずれは、一例では、発呼側通信デバイス１１０のユーザがリングバック・トーンを聞いたいくつかの回数に基づいて削減される。たとえば、発呼側通信デバイス１１０がリングバック・トーンをさらに聞かなければならない場合、時間のずれは長くなる。発呼側通信デバイス１１０と被呼側通信デバイス１１２の間の後続の呼は、時間のずれが短くなる場合もあり、時間のずれが全くない場合もある。
【００２５】
ＩＰ１２４は、一例では、リングバック・トーン・サービスに加えて、リダイレクション・サービスも容易にする。たとえば、着信コール・レッグは、発呼側通信デバイス１１０のユーザによってダイアルされた、呼の指定受信者の電話番号を示す。しかし、その電話番号に関連づけられたリダイレクション要求が存在する場合、ＩＰ１２４は、ダイアルされた電話番号とは異なる電話番号に対して発信コール・レッグを開始することができる。リダイレクション要求を検出すると、ＩＰ１２４は、発呼側通信デバイス１１０のユーザによってダイアルされた電話番号の代わりに、別の通信デバイス（たとえば、被呼側通信デバイス１１２）の電話番号を用いることができる。ＩＰ１２４は、発信コール・レッグ中に被呼側通信デバイス１１２の電話番号を配置して、発呼側通信デバイス１１０を被呼側通信デバイス１１２と接続する。ＩＰ１２４は、発信コール・レッグを配置するとき、着信コール・レッグから受信される被呼側の数字に対して、先頭に数字を添え、末尾に数字を添え、挿入を行い、削除を行い、かつ／または代入を行うことができる。
【００２６】
図２に移ると、装置１００の例示的な一動作の例示的な説明が、例示の目的で提示されている。メッセージ・フロー２０１は、ＷＩＮ信号の例示的な利用を介した、被呼側通信デバイス１１２との発呼側通信デバイス１１０の例示的な接続を表す。メッセージ・フロー２０１は、被呼側通信デバイス１１２のユーザによって予め選択されたフィードバックの、発呼側通信デバイス１１０への例示的な引渡しも表す。被呼側通信デバイス１１２のユーザは、一例では、フィードバック・サービス（たとえば、リングバック・トーン・サービスやコール・プログレス指示サービス）に加入して、発呼側通信デバイス１１０向けの、カスタマイズされたフィードバック（たとえば、カスタマイズされたリングバック・トーンやカスタマイズされたコール・プログレス指示）を予め選択する。メッセージ・フロー２０１は、一例では、リングバック・トーン・サービスを示す。被呼側通信デバイス１１２のユーザは、一例では、メッセージ・フロー２０１の開始に先立って、リングバック・トーン・サービスを設定し活動化している。たとえば、被呼側通信デバイス１１２のユーザは、１つまたは複数の基準を満たす着呼に対して、１つまたは複数のリングバック・トーンを予め選択している。
【００２７】
被呼側通信デバイス１１２への呼を開始するために、発呼側通信デバイス１１０のユーザは、被呼側通信デバイス１１２の電話番号をダイアルし、その結果、コール・セットアップ・メッセージ２０２がＯ−ＭＳＣ１０６で受信される。コール・セットアップ・メッセージ２０２は、呼が被呼側通信デバイス１１２向けであることを示す。通常のＡＮＳＩ−４１動作の度に、Ｏ−ＭＳＣ１０６における呼処理論理は、被呼側通信デバイス１１２への呼を処理するとき、Ｍｏｂｉｌｅ＿Ｔｅｒｍｉｎａｔｉｏｎトリガに遭遇する。Ｍｏｂｉｌｅ＿Ｔｅｒｍｉｎａｔｉｏｎトリガに遭遇すると、Ｏ−ＭＳＣ１０６は、被呼側通信デバイス１１２に関連づけられたＨＬＲ１１４にＬＯＣＲＥＱメッセージ２０４を送信する。ＬＯＣＲＥＱメッセージ２０４の受信に先立って、ＨＬＲ１１４は、呼の特性に基づいて、Ｏ−ＭＳＣ１０６に適切なトリガおよびアドレス情報を返すように装備されている。別の例では、発呼側通信デバイス１１０が陸線電話を含む場合、発呼側通信デバイス１１０をサポートする中央局交換デバイスは、呼の特性に基づいてＯ−ＭＳＣ１０６にトリガおよびアドレス情報を返すように装備される。
【００２８】
ＬＯＣＲＥＱメッセージ２０４は、被呼側通信デバイス１１２の現在の位置を判定するための位置要求起動メッセージを含む。ＬＯＣＲＥＱメッセージ２０４は、ＷＩＮ信号を利用する。たとえば、ＬＯＣＲＥＱメッセージ２０４は、ＷＩＮ信号が強化されたＡＮＳＩ−４１メッセージを含む。Ｏ−ＭＳＣ１０６は、Ｏ−ＭＳＣ１０６がＴＲＩＧＡＤＤＲＬＩＳＴパラメータを処理できることを示すように、ＬＯＣＲＥＱメッセージ２０４のＴＲＡＮＳＣＡＰパラメータを設定する。Ｏ−ＭＳＣ１０６は、Ｏ−ＭＳＣ１０６によってサポートされるトリガを示すように、ＷＩＮＣＡＰパラメータを設定する。Ｏ−ＭＳＣ１０６は、Ｍｏｂｉｌｅ＿Ｔｅｒｍｉｎａｔｉｏｎトリガが遭遇されていることを示すように、ＴＲＩＧＴＹＰＥパラメータを設定する。
【００２９】
ＨＬＲは、Ｏ−ＭＳＣ１０６にｌｏｃｒｅｑメッセージ２０６を返す。ｌｏｃｒｅｑメッセージ２０６は、位置要求戻り結果メッセージを含む。ｌｏｃｒｅｑメッセージ２０６は、ＷＩＮ信号を利用する。たとえば、ｌｏｃｒｅｑメッセージ２０６は、ＷＩＮ信号が強化されたＡＮＳＩ−４１メッセージを含む。ＨＬＲ１１４は、Ａｄｖａｎｃｅｄ＿ＴｅｒｍｉｎａｔｉｏｎおよびＬｏｃａｔｉｏｎトリガが装備されていることを示すように、ｌｏｃｒｅｑメッセージ２０６中のＴＲＩＧＡＤＤＲＬＩＳＴパラメータを設定する。たとえば、ＨＬＲ１１４は、呼の特性に基づいてトリガを設定するように装備されている。他のトリガ、たとえば前払い加入者向けのＩｎｉｔｉａｌ＿Ｔｅｒｍｉｎａｔｉｏｎトリガおよび／またはＣａｌｌｅｄ＿Ｒｏｕｔｉｎｇ＿Ａｄｄｒｅｓｓ＿Ａｖａｉｌａｂｌｅトリガも、被呼側通信デバイス１１２のユーザが加入している他のサービスに基づいて装備することができる。
【００３０】
ｌｏｃｒｅｑメッセージ２０６を受信すると、Ｏ−ＭＳＣ１０６は、ＡＮＳＩ準拠の呼処理を続け、Ａｄｖａｎｃｅｄ＿Ｔｅｒｍｉｎａｔｉｏｎトリガに遭遇し、ＴＲＩＧＡＤＤＲＬＩＳＴパラメータから、ＳＣＰ１２２にＡＮＬＹＺＤメッセージ２０８を送信することを決定する。ｌｏｃｒｅｑメッセージ２０６のＴＲＩＧＡＤＤＲＬＩＳＴパラメータは、ＳＣＰ１２２の指示を含む。ＡＮＬＹＺＤメッセージ２０８は、ＷＩＮ信号メッセージ、たとえばＡｎａｌｙｚｅｄ  Ｉｎｆｏｒｍａｔｉｏｎ操作メッセージを含む。
【００３１】
ＳＣＰ１２２は、データ・サーバに格納された加入者のプロファイルを使って、呼の受信者（すなわち、被呼側通信デバイス１１２）がリングバック・トーン・サービスに加入しており、サービスがこの時点で活動化されており、カスタマイズされたリングバック・トーンが発呼側通信デバイス１１０に対して再生されるべきであると判断する。ＳＣＰ１２２は、呼の１つまたは複数の特性を利用して、リングバック・トーンを決定する。たとえば、ＳＣＰ１２２は、発呼側通信デバイス１１０の識別、被呼側通信デバイス１１２の識別、呼の時刻、および呼の曜日の、１つまたは複数を利用する。ＳＣＰ１２２は、呼の１つまたは複数の特性に基づいてリングバック・トーンを決定すると、Ｏ−ＭＳＣ１０６にａｎｌｙｚｄメッセージ２１０を送信する。ａｎｌｙｚｄメッセージ２１０は、ＷＩＮ信号メッセージ、たとえばＡｎａｌｙｚｅｄ  Ｉｎｆｏｒｍａｔｉｏｎ応答メッセージを含む。ＳＣＰ１２２は、ａｎｌｙｚｄメッセージ２１０中のＴｅｒｍｉｎａｔｉｏｎＬｉｓｔパラメータを、被呼側通信デバイス１１２向けのリングバック・トーン・サービスを提供するＩＰ１２４の登録番号に設定する。ＳＣＰ１２２はまた、ａｎｌｙｚｄメッセージ２１０中のＲｅｄｉｒｅｃｔｉｎｇＮｕｍｂｅｒＤｉｇｉｔｓパラメータを、被呼側通信デバイス１１２の登録番号（たとえば電話番号）に設定する。また、ＳＣＰ１２２は、リングバック・トーン・サービスが呼び出されたＯ−ＭＳＣ１０６を示すように、ａｎｌｙｚｄメッセージ２１０中のＤＭＨ＿ＳＶＣＩＤパラメータを設定する。
【００３２】
ａｎｌｙｚｄメッセージ２１０を受信すると、Ｏ−ＭＳＣ１０６は、ＩＰ１２４にＩＡＭメッセージ２１２を送信する。ＩＡＭメッセージ２１２は、ＩＳＵＰメッセージを含む。ＩＡＭメッセージ２１２は、呼をＩＰ１２４まで延長するように働く。Ｏ−ＭＳＣ１０６は、ＩＡＭメッセージ２１２中のＲｅｄｉｒｅｃｔｉｎｇＮｕｍｂｅｒＤｉｇｉｔｓパラメータを、ａｎｌｙｚｄメッセージ２１０から受け取ったＲｅｄｉｒｅｃｔｉｎｇＮｕｍｂｅｒＤｉｇｉｔｓに設定する。
【００３３】
ＩＰ１２４は、ＩＡＭメッセージ２１２を処理する。したがって、ＩＰ１２４は、ＳＣＰ１２２にトーン要求メッセージ２１４を送信する。ＩＰ１２４は、ＩＡＭメッセージ２１２から受け取った情報を用いて、ＳＣＰ１２２に問合せを行う。トーン要求メッセージ２１４は、発呼側通信デバイス１１０に対して再生されるべきリングバック・トーンを要求する。トーン要求メッセージ２１４は、一例では、伝送制御プロトコル／インターネット・プロトコル（「ＴＣＰ／ＩＰ」）またはライトウェイト・ディレクトリ・アクセス・プロトコル（「ＬＤＡＰ」）メッセージを含む。
【００３４】
一例では、ＳＣＰ１２２およびＩＰ１２４は、別個のインテリジェント・ネットワーク・プラットフォームを備える。別の例では、ＳＣＰ１２２およびＩＰ１２４は、単一のインテリジェント・ネットワーク・プラットフォームの部分を備える。たとえば、ＳＣＰ１２２およびＩＰ１２４両方の機能は、１つまたは複数のインテリジェント・ネットワーク・プラットフォームに組み合わせることができる。ＳＣＰ１２２およびＩＰ１２４が、１つのインテリジェント・ネットワーク・プラットフォームに組み合わされる場合、ＳＣＰ１２２とＩＰ１２４の間のメッセージ（たとえば、トーン要求メッセージ２１４）は、１つのインテリジェント・ネットワーク・プラットフォームの内部動作になる。たとえば、小規模アプリケーションは、ＳＣＰ１２２およびＩＰ１２４両方の機能に対して１つのインテリジェント・ネットワーク・プラットフォームを利用することができる。
【００３５】
トーン要求メッセージ２１４を受信すると、ＳＣＰ１２２は、ＩＰ１２４にトーン応答メッセージ２１６を送信する。トーン応答メッセージ２１６は、カスタマイズされたどのトーンが、ＩＰ１２４によって発呼側通信デバイス１１０に対して再生されるべきかを示す。トーン応答メッセージ２１６を受信すると、ＩＰ１２４は、Ｏ−ＭＳＣ１０６にＡＣＭメッセージ２１８を送信する。ＡＣＭメッセージ２１８は、発呼側通信デバイス１１０までの、音声経路のカットスルーをもたらす。ＡＣＭメッセージ２１８を送信した後、ＩＰ１２４は、発呼側通信デバイス１１０で適切なリングバック・トーン２２０を再生する。たとえば、ＩＰ１２４は、呼の第１のレッグにおいて、適切なリングバック・トーン２２０を発呼側通信デバイス１１０に接続する。呼の第１のレッグは、発呼側通信デバイス１１０をＩＰ１２４と接続する。
【００３６】
被呼側通信デバイス１１２との接続を確立するために、ＩＰ１２４は、被呼側通信デバイス１１２への呼の第２のコール・レッグを開始する。たとえば、ＩＰ１２４は、被呼側通信デバイス１１２への新しい呼を開始する。したがって、ＩＰ１２４は、Ｏ−ＭＳＣ１０６にＩＡＭメッセージ２２２を送信する。ＩＡＭメッセージ２２２は、ＩＳＵＰメッセージを含む。ＩＰ１２４は、ＣａｌｌｉｎｇＰａｒｔｙＮｕｍｂｅｒパラメータを、発呼側通信デバイス１１０の電話番号に設定し、ＲｅｄｉｒｅｃｔｉｎｇＮｕｍｂｅｒパラメータを、ＩＰ１２４を識別する一義的な登録番号に設定する。このようにパラメータを設定することによって、被呼側通信デバイス１１２が発呼側名称や発呼番号表示など、どのサービスに加入している場合でも、ＩＰ１２４は、被呼側通信デバイス１１２が鳴ったとき、発呼側通信デバイス１１０の識別情報が被呼側通信デバイス１１２に対して正しく表示されることを保証する。ＩＡＭメッセージ２２２を受信すると、Ｏ−ＭＳＣ１０６は、ＡＣＭメッセージ２２４を用いてＩＰ１２４に応答する。ＡＣＭメッセージ２２４は、ＩＳＵＰメッセージを含む。
【００３７】
通常のＡＮＳＩ−４１動作の度に、Ｏ−ＭＳＣ１０６における呼処理論理は、ＩＡＭメッセージ２２２によって呼び出された、被呼側通信デバイス１１２への呼を処理するとき、Ｍｏｂｉｌｅ＿Ｔｅｒｍｉｎａｔｉｏｎトリガに遭遇する。Ｍｏｂｉｌｅ＿Ｔｅｒｍｉｎａｔｉｏｎトリガに遭遇すると、Ｏ−ＭＳＣ１０６は、被呼側通信デバイス１１２に関連づけられたＨＬＲ１１４にＬＯＣＲＥＱメッセージ２２６を送信する。Ｏ−ＭＳＣ１０６は、Ｏ−ＭＳＣ１０６がＴＲＩＧＡＤＤＲＬＩＳＴパラメータを処理できることを示すように、ＬＯＣＲＥＱメッセージ２０４のＴＲＡＮＳＣＡＰパラメータを設定する。Ｏ−ＭＳＣ１０６は、Ｏ−ＭＳＣ１０６によってサポートされるトリガを示すようにＷＩＮＣＡＰパラメータを設定する。Ｏ−ＭＳＣ１０６は、Ｍｏｂｉｌｅ＿Ｔｅｒｍｉｎａｔｉｏｎトリガが遭遇されていることを示すように、ＴＲＩＧＴＹＰＥパラメータを設定する。ＬＯＣＲＥＱメッセージ２２６を受信すると、ＨＬＲ１１４は、Ｏ−ＭＳＣ１０６にｌｏｃｒｅｑメッセージ２２８を送信する。ｌｏｃｒｅｑメッセージ２２８は、ｌｏｃｒｅｑメッセージ２０６とほぼ同様である。ＬＯＣＲＥＱメッセージ２２６およびｌｏｃｒｅｑメッセージ２２８は、ＷＩＮ信号が強化されたＡＮＳＩ−４１メッセージを含む。
【００３８】
ｌｏｃｒｅｑメッセージ２２８を受信すると、Ｏ−ＭＳＣ１０６は、ＡＮＳＩ準拠の呼処理を続け、Ａｄｖａｎｃｅｄ＿Ｔｅｒｍｉｎａｔｉｏｎトリガに遭遇し、ｌｏｃｒｅｑメッセージ２２８のＴＲＩＧＡＤＤＲＬＩＳＴパラメータにおいて示されるＳＣＰ１２２に、ＡＮＬＹＺＤメッセージ２３０を送信する。ＡＮＬＹＺＤメッセージ２３０は、ＷＩＮ信号メッセージ、たとえばＡｎａｌｙｚｅｄ  Ｉｎｆｏｒｍａｔｉｏｎ操作メッセージを含む。Ｏ−ＭＳＣは、ＩＡＭメッセージ２２２から受け取った情報に基づいて、ＡＮＬＹＺＤメッセージ２３０のパラメータを設定する。たとえば、Ｏ−ＭＳＣ１０６は、Ｄｉｇｉｔｓ（Ｄｉａｌｅｄ）パラメータを被呼側通信デバイス１１２の登録番号（たとえば電話番号）に設定し、ＣａｌｌｉｎｇＰａｒｔｙＮｕｍｂｅｒＤｉｇｉｔｓ１パラメータを発呼側通信デバイス１１０の登録番号（たとえば電話番号）に設定し、ＲｅｄｉｒｅｃｔｉｎｇＮｕｍｂｅｒＤｉｇｉｔｓをＩＰ１２４の一義的な登録番号に設定する。
【００３９】
ＳＣＰ１２２は、呼の受信者（すなわち、被呼側通信デバイス１１２）がリングバック・トーン・サービスに加入していると判定する。したがって、ＳＣＰ１２２は、Ｏ−ＭＳＣ１０６にａｎｌｙｚｄメッセージ２３２を送信する。ＳＣＰ１２２は、ＡＮＬＹＺＤメッセージ２３０のＲｅｄｉｒｅｃｔｉｎｇＮｕｍｂｅｒＤｉｇｉｔｓパラメータを利用して、呼がＩＰ１２４から発信されたと判定する。したがって、ＳＣＰ１２２は、Ｏ−ＭＳＣ１０６にａｎｌｙｚｄメッセージ２３２を送信して、呼に対する通常の呼完了処理を開始する。ａｎｌｙｚｄメッセージ２３２は、一例では空であり、たとえば、ＳＣＰ１２２は、呼の特別な経路指定を開始するためのトリガを活動化しない。ａｎｌｙｚｄメッセージ２３２は、ＷＩＮ信号メッセージ、たとえばＡｎａｌｙｚｅｄ  Ｉｎｆｏｒｍａｔｉｏｎ応答メッセージを含む。
【００４０】
ａｎａｌｙｚｅｄメッセージ２３２を受信すると、Ｏ−ＭＳＣ１０６は、通常のＡＮＳＩ−４１コール・セットアップ２３４を進めて、呼を被呼側通信デバイス１１２に接続する。一例では、被呼側通信デバイス１１２は、ホーム・エリア内に位置し、Ｏ−ＭＳＣ１０６によってサービスを提供される。したがって、Ｏ−ＭＳＣ１０６は、発呼側通信デバイス１１０に着呼の指示を送信するために、被呼側通信デバイス１１２をページングする。
【００４１】
別の例では、被呼側通信デバイス１１２は、ローミング中であり、Ｓ−ＭＳＣ１０８によってサービスを提供される領域内に位置する。したがって、Ｏ−ＭＳＣ１０６は、メッセージ・フロー２０１中の通常のＡＮＳＩ−４１コール・セットアップ２３４として示されるように、呼を、被呼側通信デバイス１１２に引き渡すためにＳ−ＭＳＣ１０８に渡す。たとえば、Ｏ−ＭＳＣ１０６は、Ｌｏｃａｔｉｏｎトリガを検出し、ＨＬＲ１１４にＬＯＣＲＥＱメッセージを送信する。Ｏ−ＭＳＣ１０６は、Ｌｏｃａｔｉｏｎトリガが遭遇されたことを示すように、ＴＲＩＧＴＹＰＥパラメータを設定する。ＨＬＲ１１４は、呼の処理が続けられなければならないと判定し、ビジター位置レジスタ（「ＶＬＲ」）にＲＯＵＴＲＥＱメッセージを送信する。ＲＯＵＴＲＥＱメッセージは、経路指定要求メッセージを含む。ＶＬＲは、Ｓ−ＭＳＣ１０８にＲＯＵＴＲＥＱメッセージを転送する。Ｓ−ＭＳＣは、呼に対してテンポラリ・ローカル・ディレクトリ番号（「ＴＬＤＮ」）を割り振り、ｒｏｕｔｒｅｑメッセージにおいて、ＶＬＲにＴＬＤＮを返す。ｒｏｕｔｒｅｑメッセージは、経路指定要求応答メッセージを含む。ＶＬＲは、ＨＬＲ１１４にｒｏｕｔｒｅｑメッセージを転送する。ＨＬＲ１１４は、呼を被呼側通信デバイス１１２に対してセットアップするようにという命令とともに、Ｏ−ＭＳＣ１０６にｌｏｃｒｅｑメッセージを送信する。次いで、Ｏ−ＭＳＣ１０６は、呼を被呼側通信デバイス１１２に対してセットアップする。
【００４２】
メッセージ・フロー２０１は、被呼側通信デバイス１１２が後払い加入者であり、したがって、ＨＬＲ１１４がＣａｌｌｅｄ＿Ｒｏｕｔｉｎｇ＿Ａｄｄｒｅｓｓ＿Ａｖａｉｌａｂｌｅトリガを装備しない一例を示す。被呼側通信デバイス１１２が前払い加入者である場合、被呼側通信デバイス１１２への呼の引渡しに先行して、Sec.8.X.22、TIA/EIA/IS-826のステップＬおよびＭが実行される。
【００４３】
被呼側通信デバイス１１２に呼を引き渡すために、Ｓ−ＭＳＣ１０８は、被呼側通信デバイス１１２をページングして、被呼側通信デバイス１１２で音が鳴るようにする。被呼側通信デバイス１１２のユーザが返答すると、被呼側通信デバイス１１２は、Ｓ−ＭＳＣ１０８に返答メッセージ２３６を送信する。返答メッセージ２３６を受信すると、Ｓ−ＭＳＣ１０８は、Ｏ−ＭＳＣ１０６にＡＮＭメッセージ２３８を送信する。
【００４４】
Ｏ−ＭＳＣ１０６は、ＩＰ１２４にＡＮＭメッセージ２４０を送信して、呼をＩＰ１２４に接続する。ＩＰ１２４は、第２のコール・レッグからＡＮＭメッセージ２４０を認識し、発呼側通信デバイス１１０でのリングバック・トーンの再生を停止する。ＩＰ１２４は、第１のコール・レッグにおいて、Ｏ−ＭＳＣ１０６にＡＮＭメッセージ２４２を送信する。ＩＰ１２４は、呼の第１のコール・レッグにおいて発呼側通信デバイス１１０と接続される。また、ＩＰ１２４は、第２のコール・レッグにおいて被呼側通信デバイス１１２と接続される。したがって、発呼側通信デバイス１１０を被呼側通信デバイス１１２と通信可能に結合するために、ＩＰ１２４は、第１のコール・レッグを第２のコール・レッグとブリッジする。たとえば、ＩＰ１２４は、第１のコール・レッグと第２のコール・レッグを、ヘアピンを用いて接続する。
【００４５】
ＩＰ１２４が、第１のコール・レッグを第２のコール・レッグとヘアピン接続すると、発呼側通信デバイス１１０と被呼側通信デバイス１１２の間の音声通信２４６が結果として起こり得る。一例では、呼が持続する間、ヘアピンは、発呼側通信デバイス１１０と被呼側通信デバイス１１２の間の、ＩＰ１２４中の呼の経路に留まる。別の例では、ＩＰ１２４は、呼ドロップバック・コマンドを利用して、ＭＳＣ１０６に呼のブリッジを転送する。たとえば、ＩＰ１２４は、ＭＳＣ１０６に呼の２つのポートを示し、ＭＳＣ１０６に、２つのポートをともにブリッジするよう命令する。したがって、ＩＰ１２４は、呼の経路を放棄し、ＭＳＣ１０６が、第１のコール・レッグを第２のコール・レッグとブリッジする。
【００４６】
メッセージ・フロー２０１は、発呼側通信デバイス１１０と被呼側通信デバイス１１２の間の呼の例示的な接続を示す。ただし、ＩＰ１２４は、一例では、呼を被呼側通信デバイス１１２に接続せずに、カスタマイズされたフィードバック（たとえば、予め選択されたリングバック・トーン）を発呼側通信デバイス１１０で再生することができる。たとえば、呼の１つまたは複数の特性に基づいて、ＩＰ１２４は、呼を接続せずに、発呼側通信デバイス１１０に告知を再生することができる。ＩＰ１２４への着呼は、被呼側通信デバイス１１２への引渡しのために指定される。ただし、ＩＰは、第２のコール・レッグを接続してもしなくても、第１のコール・レッグを接続した後、カスタマイズされたフィードバックを発呼側通信デバイス１１０に対して再生することができる。
【００４７】
一例では、被呼側通信デバイス１１２は、予め選択された時間に、予め選択された発呼側通信デバイス群からの呼の受信を望まない場合がある。したがって、被呼側通信デバイス１１２は、予め選択された時間中に発呼側通信デバイス１１０からの着呼があったときに発呼側通信デバイス１１０で再生するためのリングバック・トーンを予め選択することができる。呼が１つまたは複数の非引渡し基準を満たす場合、ＩＰ１２４は、被呼側通信デバイス１１２への第２のコール・レッグを開始しない。ＩＰ１２４は、一例では、発呼側通信デバイス１１０が切断されるまで、またはタイムアウトに達するまで、発呼側通信デバイス１１０への告知を再生する。ＩＰ１２４は、一例では、発呼側通信デバイス１１０に返答メッセージを返送して、呼に対する請求書の控えを生成する。
【００４８】
一例における装置１００は、１つまたは複数のコンピュータ可読信号伝達媒体を利用する。装置１００用のコンピュータ可読信号伝達媒体の一例には、インテリジェント・ネットワーク・プラットフォーム１０２および１０４の１つまたは複数の、１つまたは複数の記録可能データ記憶媒体の例がある。たとえば、記録可能データ記憶媒体は、磁気、電気、光学、生物学、および原子データ記憶媒体の１つまたは複数を含む。別の例では、デバイス１００用のコンピュータ可読信号伝達媒体は、デバイス１００を含みまたはそれと結合されるネットワーク、たとえば電話ネットワーク、ローカル・エリア・ネットワーク（「ＬＡＮ」）、インターネット、および無線ネットワークの１つまたは複数を介して伝送される変調搬送波信号を含む。
【００４９】
本明細書で説明したステップまたは動作は、例示的なものに過ぎない。同様の機能が、他のプロトコル、たとえば広域移動体通信システム（「ＧＳＭ」）／モバイル・ネットワーク用カスタマイズ・アプリケーション改善論理（「ＣＡＭＥＬ」）、ＡＮＳＩ能力セット１（「ＣＳ−１」）、国際電気通信連合（「ＩＴＵ−Ｔ」）ＣＳ−１、およびセッション開始プロトコル（「ＳＩＰ」）を用いて、本発明の精神から逸脱することなく、ステップおよび動作の変形形態によって達成できることが当業者には理解されよう。たとえば、こうしたステップは、同様の操作を用いて異なる順序で実施することもでき、ステップを追加し、削除し、変更することもできる。
【００５０】
本明細書において本発明の例示的な実装形態を詳細に示し説明したが、本発明の精神から逸脱することなく、様々な修正、追加、置換えなどを行うことができ、したがってこれらは、添付の特許請求の範囲で定義される本発明の範囲内とみなされることが当業者には理解されよう。
【図面の簡単な説明】
【００５１】
【図１】１つまたは複数のインテリジェント・ネットワーク・プラットフォーム、１つまたは複数の移動電話交換センタ、発呼側通信デバイス、および被呼側通信デバイスを備える装置の例示的な実装形態を示す図である。
【図２】図１の装置の被呼側通信デバイスのユーザによって予め選択されたフィードバックを発呼側通信デバイスに引き渡すための、例示的な一メッセージ・フローを示す図である。
【図１】
0004680557.tif 000002
【図２】
0004680557.tif 000003